(57)【要約】      （修正有）【課題】コスト安で耐久性に富む環境に優しい台所用清掃具を提供する。【解決手段】筒編したものを裏目が表となるように、ほぼ中央位置で折り返して内筒Ｑと外筒Ｐよりなる二重の筒状体に形成してある。従って、引っ繰り返しても裏目の方を用いて掃除することができるという利点を有する。そして、前記折り返した部分とは反対側の開口部を閉止してなる台所用掃除具でも、内筒Ｑと外筒Ｐよりなる二重の筒状体を引っ繰り返して前記内筒を外側に位置させるとともに、外筒Ｐを内側に位置させることができるので、常に裏目の方を用いて掃除することができる。【選択図】図５
0003152473.tif 000002
【実用新案登録請求の範囲】
【請求項１】
筒編したものを裏目が表となるように、ほぼ中央位置で折り返して内筒と外筒よりなる二重の筒状体に形成してある台所用清掃具。
【請求項２】
前記折り返した部分とは反対側の開口部を閉止してなる請求項１に記載の台所用清掃具。
【請求項３】
合成繊維モノフィラメント糸をギア加工により凹凸形状とし、これを筒編してなる請求項１または２に記載の台所用清掃具。
【請求項４】
前記合成繊維モノフィラメント糸がポリエチレンのモノフィラメント糸である請求項３に記載の台所用清掃具。
【考案の詳細な説明】
【技術分野】
【０００１】
この考案は、例えば食器、ガスコンロ、食卓等の汚れを拭きとったり磨いたりするたわし、雑巾、布巾などの台所用清掃具に関するものである。
【背景技術】
【０００２】
従来この種の台所用清掃具として、例えば自然素材等の糸、例えばケナフ（Kenaf ）の糸を用いて平編してなる布巾がある。
【先行技術文献】
【特許文献】
【０００３】
【特許文献１】特開２００８−２４６９９５号公報
【考案の概要】
【考案が解決しようとする課題】
【０００４】
しかし、上記台所用清掃具は、清掃効果を大にするためケナフの糸に巻縮加工を施した糸、いわゆる、クリンプ糸を使っていることから、加工にコストが嵩むとともに、磨耗による劣化が速く耐久性に劣るという課題がある。
【０００５】
この考案は、上述の事柄に留意してなされたもので、その目的は、コスト安で耐久性に富む環境に優しい台所用清掃具を提供することである。
【課題を解決するための手段】
【０００６】
上記目的を達成するために、この考案の台所用清掃具は、筒編したものを裏目が表となるように、ほぼ中央位置で折り返して内筒と外筒よりなる二重の筒状体に形成してあることを特徴としている（請求項１）。
【０００７】
そして、この考案では、前記折り返した部分とは反対側の開口部を閉止してなるのが好ましく（請求項２）、また、合成繊維モノフィラメント糸をギア加工により凹凸形状とし、これを筒編したものを用いてあるのが好ましく（請求項３）、さらに、前記合成繊維モノフィラメント糸がポリエチレンのモノフィラメント糸であるのが好ましい（請求項４）。
【０００８】
この考案において、筒編したものを裏目が表となるようにするのは、筒編の場合、表目よりも裏目の方がざらざらしており、裏目の方を用いて清掃する方が清掃効果を発揮することができるからである。
【０００９】
また、この考案においては、内筒と外筒よりなる二重の筒状体を引っ繰り返して前記内筒を外側に位置させるとともに、前記外筒を内側に位置させても裏目の方を用いて清掃することができ、内外ともに使用することができる。
【００１０】
この考案において、合成繊維モノフィラメント糸をギア加工により凹凸形状とするとは、供給ロールから巻き出されたギア加工前の合成繊維モノフィラメント糸を、噛み合っている一対のギアの間に挿入し、一対のギアで合成繊維モノフィラメント糸に賦形して合成繊維モノフィラメント糸に凹凸形状が、その流れ方向に交互に形成されることを意味し、この際、前記凹凸形状として、図１に示すように、ギア加工後の合成繊維モノフィラメント糸２には、エッジＥを有する偏平な部分Ａと偏平でない部分Ｂとが流れ方向（矢印Ｄで示す方向）に隣接して交互に形成されており、前記エッジＥによって生み出されるこすり感（ざらざら感）によって汚れ等を効率良くかきおとすことができる。
【００１１】
この考案において、合成繊維とは、化学的に合成した高分子物質を溶融、紡糸して作った繊維を意味し、ポリエチレン（ＰＥ）、ポリエステル、ナイロン、ビニロン等を挙げることができ、特に、前記ポリエチレンのモノフィラメント糸は、使い捨ての台所用清掃具をゴミとして燃やしてもダイオキシンが発生しない点で、地球環境、自然に優しいエコロジー素材として有用である。
【００１２】
そして、この考案では、前記エッジＥによって生み出されるこすり感（ざらざら感）と、裏目の方を用いて清掃することとの相乗効果により清掃効果をより発揮させることができる。
【考案の効果】
【００１３】
この考案によれば、筒編したものを裏目が表となるように、ほぼ中央位置で折り返して内筒と外筒よりなる二重の筒状体に形成してあることから、引っ繰り返しても裏目の方を用いて清掃することができるという利点を有する台所用清掃具を提供することができる。
【００１４】
そして、前記折り返した部分とは反対側の開口部を閉止してなる台所用清掃具でも、内筒と外筒よりなる二重の筒状体を引っ繰り返して前記内筒を外側に位置させるとともに、前記外筒を内側に位置させることができるので、常に裏目の方を用いて清掃することができる。
【００１５】
また、合成繊維モノフィラメント糸をギア加工により凹凸形状とし、これを筒編したものを用いるので、ギア加工後の合成繊維モノフィラメント糸に付与されるこすり感（ざらざら感）と、裏目の方を用いて清掃することとの相乗効果により清掃効果の高い台所用清掃具を提供することができるとともに、
ケナフのような自然素材の糸に比べて強度的に強い合成繊維モノフィラメント糸を使用しているので、磨耗による劣化が遅い耐久性を有する台所用清掃具を提供することができる上に、同じように清掃効果を大にするための形状を糸に施しても、巻縮加工に比べてコスト安に加工することができ、その結果、安価に大量生産することができる。
【００１６】
さらに、前記合成繊維モノフィラメント糸がポリエチレンのモノフィラメント糸であることから、使い捨ての台所用清掃具をゴミとして燃やしてもダイオキシンが発生せず、地球環境、自然に優しい清掃効果の高い台所用清掃具を提供することができる。
【図面の簡単な説明】
【００１７】
【図１】この考案の一実施形態で用いる合成繊維モノフィラメント糸のギア加工の状態を示す構成説明図である。
【図２】（Ａ）は、上記実施形態で用いる混糸を示す図である。（Ｂ）は、上記実施形態で用いる混糸を筒編することにより得られる長尺の開口体を示す図である。
【図３】上記実施形態のベースとなる開口部材を示す斜視図である。
【図４】上記実施形態の作り方を説明するための斜視図である。
【図５】上記実施形態を示す構成説明図である。
【考案を実施するための形態】
【００１８】
図１〜図５は、ギア加工により得られた合成繊維モノフィラメント糸に例えばケナフまたはバンブー等の自然素材よりなる糸を巻き付けてなる混糸を筒編（丸編）し、得られた長尺の開口体を適当な長さに切断して両端開口を有する開口部材を形成し、この開口部材を裏目が表となるように、ほぼ中央位置で折り返して内筒と外筒よりなる二重の筒状体に形成してあるこの考案の一実施形態を示す。
【００１９】
ここで、前記適当な長さＳ（図３参照）とは、たわし、布巾等の台所用清掃具として一般に使用されうる長さを意味している。
【００２０】
図１〜図５において、台所用清掃具１は、ギア加工により得られた合成繊維モノフィラメント糸２にその表面２ａ全体をカバーしうる程度に例えばケナフまたはバンブー等の自然素材よりなる糸（以下、単に自然素材の糸という）３を巻き付けて（カバーリングして）なる混糸４より構成されており、台所用清掃具１のベースとなる開口部材８は、混糸４を筒編することにより得られる長尺の開口体６を適宜の長さに切断してなるものである。
【００２１】
前記ケナフはアオイ科（ハイビスカス）属の一年草で、二酸化炭素の吸収が普通の植物よりも高く、地球温暖化防止に貢献しうるとともに、焼却処分してもダイオキシン等の有害な物質は出ないといった地球環境、自然に優しいエコロジー素材であり、
また、前記バンブーは、ケナフと同じエコロジー素材であり、亜熱帯地方のみに生育する竹の一種であり、その再生セルロースからレーヨン繊維が得られる一方、
ヒノキから得られるヒノキレーヨンも自然素材として挙げることができ、これは、抗菌・防臭効果に優れるとともに、悪臭の原因となる細菌の増殖を抑える機能を備えており、さらに、自然素材よりなる糸として、麻糸、綿糸等を挙げることができる。
【００２２】
前記ギア加工においては、供給ロール（図示せず）から巻き出されたギア加工前の合成繊維モノフィラメント糸２’を、所定の温度に加熱された状態で噛み合っている一対のギア７，７（図１参照）の間に挿入し、これら一対のギア７，７で合成繊維モノフィラメント糸２’に賦形してその流れ方向（Ｄ方向）に凹凸形状が交互に形成された合成繊維モノフィラメント糸２を得ることができる。
【００２３】
すなわち、ギア加工後の合成繊維モノフィラメント糸２には前記凹凸形状としてエッジＥを有する偏平な部分Ａと偏平でない部分Ｂが交互に形成されており、偏平な部分Ａの前記エッジＥによって汚れ等を効率良くかきおとすことが可能となるといった清掃効果を奏する。
【００２４】
この実施形態では、ギア加工前の合成繊維モノフィラメント糸２’として、アルカリに強く、加工性に優れ、耐光性があり、摩擦に強く、電気絶縁性が良好で、かつ難染性を有するポリエチレン（ＰＥ）繊維を使っており、具体的には、５０（デニール）〜１５０（デニール）のモノフィラメント高密度ポリエチレン（ＨＤＰＥ）を使っており、これは、規則正しい構造をしていて、結晶化度が高く、引っ張りに強く不透明で、水洗いに強いタイプのものであり、また、熱を加え続けたときに繊維の酸化が進むことにより劣化するのを防止するため酸化防止剤がＨＤＰＥが１００に対して例えば０．１５の割合で織り込まれており、さらに、ＨＤＰＥが１００に対して例えば０．２９の割合で耐候剤が織り込まれている。
【００２５】
そして、使用される台所用清掃具１は、以下のようにして得られる。
【００２６】
前記混糸４を用いて、筒編（丸編）することにより得られた図２に示す長尺の開口体６を例えば平面視矩形の偏平な状態にし、これを、開口体６の長手方向（両矢印Ｔで示す方向）に略直角な方向に適宜の長さ間隔Ｓで切断して図３に示すような、両端開口８ａおよび８ｂを有する開口部材８を得るが、この際、ほつれ防止のため開口部材８の両端開口８ａおよび８ｂの環状の周縁はそれぞれ縫合される。
【００２７】
図３において、９，１０はそれぞれ縫合された端部であり、図３においては、開口部材８は長辺Ｓを有する平面視矩形の偏平な状態となっている。
【００２８】
続いて、前記開口部材８を裏目が表となるように、ほぼ中央位置で折り返して（図４参照）図５に示すように四重になるように重ね合わせることにより、片手が挿通可能な挿通穴Ｈが形成された台所用清掃具１を得る。
【００２９】
すなわち、台所用清掃具１は、筒編したもの（開口体６）を適当な長さＳに切断してなる開口部材８を裏目が表となるように、ほぼ中央位置で折り返して内筒Ｑと外筒Ｐよりなる２重の筒状体（Ｐ，Ｑ）に形成してある。
【００３０】
つまり、この実施形態では、図３の状態の例えば開口８ａ側から一方の端部９を含む部分Ｐを両手を使って矢印Ｆで示す方向に折り返しながら、その折り返し部Ｃ（図４参照）を前記開口部材８の長辺Ｓのほぼ半分位置までもっていき、最終的に端部９，１０間を重ね合わせることにより、折り返し部Ｃを介して他方の端部１０を含む部分（前記内筒）Ｑを一方の端部９を含む部分（前記外筒）Ｐの内側に重ねた状態で位置させてなる四層構造の台所用清掃具１を得る。
【００３１】
而して、台所用清掃具１の挿通穴Ｈに片手を差し込みながら、一方の端部９を含む部分Ｐ、すなわち、前記外筒Ｐを介して例えば食器やテーブル上の汚れを拭きとることができるが、ポリエチレンのモノフィラメント糸２は凹凸形状を有するとともに、表目よりも裏目の方が清掃効果に寄与するザラザラ感が大であることの相乗効果により、また、台所用清掃具１を構成する混糸４は、自然素材の糸３を含むので吸水性を有することにより、台所用清掃具１の布巾としての清掃効果をさらに大にすることが可能である。また、この実施形態では、合成繊維モノフィラメント糸（ポリエチレンのモノフィラメント糸）２にその表面２ａ全体をカバーしうる程度に自然素材の糸３を巻き付けており、混糸４に用いる自然素材の糸３の割合を混糸４に用いる合成繊維モノフィラメント糸２の割合よりも大にできることから、吸水性を良好にできる。
【００３２】
また、台所用清掃具１においては、台所用清掃具１を裏返すことにより新しく形成される挿通穴に片手を差し込みながら、今度は他方の端部１０を含む部分Ｑを介しても清掃することができるという利便性を有する。
【００３３】
この実施形態では、ほつれ防止のため開口部材８の両端開口８ａおよび８ｂの環状の周縁をそれぞれ縫合したものを示したが、この考案では、開口部材８のいずれの両端開口８ａおよび８ｂの環状の周縁も縫合しない状態で、開口部材８を裏目が表となるように、ほぼ中央位置で折り返して内筒と外筒よりなる二重の筒状体に形成した後に両端開口８ａおよび８ｂを一体に縫合して閉止する構成を採用してもよい。
【００３４】
すなわち、筒編したものを裏目が表となるように、ほぼ中央位置で折り返して内筒と外筒よりなる二重の筒状体に形成してある台所用清掃具において、前記折り返した部分とは反対側の開口部を閉止してなる台所用清掃具も、この考案に含まれ、上記実施形態と同様の効果を奏する。
【００３５】
なお、上記各実施形態では、ギア加工により得られた合成繊維モノフィラメント糸２に図２（Ａ）に示すようにその表面２ａ全体をカバーしうる程度に自然素材の糸３を巻き付けて（カバーリングして）なる混糸４を用いたが、ギア加工が施された合成繊維モノフィラメント糸２と自然素材よりなる糸３を引きそろえて（並行にして）筒編する構成を採用してもよく、また、ギア加工が施された合成繊維モノフィラメント糸２だけで筒編する構成を採用してもよく、さらには、前記混糸４と、自然素材よりなる糸３を引きそろえて（並行にして）筒編する構成を採用してもよく、これらの場合でも、上記各実施形態と同様の効果が得られるとともに、水分吸収率の低い（水を吸いにくい）特性を台所用清掃具に付与する必要がある場合には、例えばポリウレタン系弾性繊維を裏地として設けてもよく、この考案では、目的に応じて種々の糸を適宜付与することができる一方、合成繊維モノフィラメント糸２に対する自然素材よりなる糸３の割合を調整することにより、吸水性能を適宜コントロールすることができ、内筒と外筒よりなる２重の筒状体としてのたわしとして用いる場合や、内筒と外筒よりなる二重の筒状体としての布巾として用いる場合、あるいは、内筒と外筒よりなる二重の筒状体としてのたわし、布巾に兼用可能に用いる場合に使い分けることが可能である。
【符号の説明】
【００３６】
１          台所用清掃具
２          ギア加工が施された合成繊維モノフィラメント糸
２’        ギア加工前の合成繊維モノフィラメント糸
３          自然素材よりなる糸
６          開口体
７，７      一対のギア
８ａ，８ｂ  開口
９，１０    端部  
Ｐ          外筒
Ｑ          内筒
【図１】
0003152473.tif 000003
【図２】
0003152473.tif 000004
【図３】
0003152473.tif 000005
【図４】
0003152473.tif 000006
【図５】
0003152473.tif 000007